(57)【要約】【課題】便座着脱時のロック操作を減らすことにより、便座の着脱をより容易にし、しかも、着脱時の便座引っぱり負荷等によるリード線の断線を確実に防止する。【解決手段】トイレ装置本体１２とヒーターユニットを内臓する便座１５との間に配設される配線コード２０の近傍にテンションワイヤ３１を沿わせ、そのまま便座内をしゅう動自在に配置し、内壁部の穴１９Ｒおよびコイルスプリング３３を介して、ストッパ部材３４及びロック係合部につなげ、袖部１６Ｒの基部から臨ませている。このとき、便座１５の着脱は係合レバー４３の回動操作だけで、便座１５と軸受けハウジング１３等との着脱に対するロック操作及び解除を可能としている。便座１５を外した後はコイルスプリング３３の圧縮によって決まるテンションワイヤ３１の引出し長にて制限され、ここで負荷を受けるため、配線コード２０には負荷がかからない。【選択図】        図４
2005000525.tif 000002
【特許請求の範囲】
【請求項１】
便器上に載置固定された本体と、前記本体から突出するヒンジ軸に取外し可能かつ回動自在に枢着される便座と、前記便座に設けられたヒーターユニットと、本体内に設けられたヒーターユニットを制御する制御部と、前記ヒーターユニットと前記制御部を電気的に接続するリード線及び該リード線を包含可能な保護チューブとからなる配線コードを備えたトイレ装置において、前記配線コード内若しくは近傍に前記便座を外した際の前記配線コードへの負荷を防止するテンションワイヤを設けたことを特徴とするトイレ装置。
【請求項２】
請求項１記載のトイレ装置において、前記テンションワイヤを前記便座ヒンジ部の一方の後端および、他方の後端に収納配置させ、両者を一体化あるいは、機能的に連結させたことを特徴とするトイレ装置。
【請求項３】
請求項２記載のトイレ装置において、前記テンションワイヤを引張ったとき、所定の位置で止まるようなストッパを設けたことを特徴とするトイレ装置。
【請求項４】
請求項２および３記載のトイレ装置において、前記テンションワイヤを引張っても、手を放せば、また元の位置に戻るような引き込み手段を備えたことを特徴とするトイレ装置。
【請求項５】
請求項４記載のトイレ装置において、前記配線コード側の前記テンションワイヤを、前記配線コードと共に前記便座ヒンジ部後端にしゅう動自在に収納配置させたことを特徴とするトイレ装置。
【請求項６】
請求項５記載のトイレ装置において、前記配線コードの近傍に前記テンションワイヤを前記便座ヒンジ部後端にしゅう動自在に収納配置させる場合、前記配線コードが通過できる内径をもつリングを前記テンションワイヤに適当な間隔で固定設置し、それらに前記配線コードを通すように配置させたことを特徴とするトイレ装置。
【請求項７】
請求項５および６記載のトイレ装置において、前記テンションワイヤに対して前記本体と前記取外し可能な便座とを開閉可能に枢着させるようなロック機構を持たせたことを特徴とするトイレ装置。
【請求項８】
請求項７記載のトイレ装置において、前記配線コード側にない前記テンションワイヤに前記ロック機構を備えさせ、前記配線コード側の前記テンションワイヤは、前記配線コードと共に前記便座ヒンジ部後端にしゅう動自在に収納配置させ、前記本体から突出するヒンジ軸若しくは前記ヒンジ軸近傍に回動自在に枢着固定させたことを特徴とするトイレ装置。
【請求項９】
請求項７及び８記載のトイレ装置において、前記ロック機構は、前記テンションワイヤの端部にフック形状若しくは係合可能な穴形状を有し、前記本体側から突出するヒンジ軸若しくは前記ヒンジ軸近傍に回動自在に設置された係合操作部から構成され、ロック操作を行う場合は前記フック形状若しくは係合可能な穴形状を前記係合操作部に係合させ、回転係合操作により、前記テンションワイヤをロック係止させると同時に、前記便座を前記本体に開閉可能に係止させる構造を有することを特徴とするトイレ装置。
【発明の詳細な説明】
【０００１】
【発明の属する技術分野】
本発明は、掃除等の便宜のために便座を取外すことが可能なトイレ装置に関する。
【０００２】
【従来の技術】
図８に従来のトイレ装置６０を示すが、便器６１の後部に局部洗浄装置、洗浄用の水を流すバルブ及び全体の制御装置を収納した機能部６２が設けられ、機能部６２の手前側に設けられた軸受ハウジング６３に、便座６４と便蓋６５が開閉可能に取付けられている。そして、ロック機構を用いて、便座６４と便蓋６５が軸受ハウジング６３に対して着脱可能となっている。（例えば、特許文献１参照）
【０００３】
便座６４には冬季の暖房用のために電熱ヒータが設けられていると共に、内部に電熱ヒータによって加熱された便座６４の温度を測定する温度センサー（サーミスタ）が設けられ、これらの配線コード６６が便座６４と機能部６２との間に弛みを設けて配線されている。なお、図８において、６７は電源コードを、６８はアース線を、６９は給水ホースを示す。
【０００４】
【特許文献１】
特開平１０−２５８００３号公報
【０００５】
【発明が解決しようとする課題】
しかしながら、従来のトイレ装置では、便座６４を外した際に、配線コード６６に便座６４を引き出すときの負荷や便座６４をぶら下げたときの自重がかかってしまうという課題を有していた。
【０００６】
また、従来のトイレ装置６０においては、便座６４と機能部６２を連結する配線コード６６が外部に露出しているので、外観が悪いという問題もあった。そこで、便座からの配線コードを無くす試みが種々提案され、例えば、便座の基端側を回動可能に支持している支持軸を通して配線することもできるが、掃除等の場合に便座を取外すことが困難であるという問題があった。
【０００７】
さらに、便座６４を軸受ハウジング６３に着脱可能に取付ける場合、一旦取付けたら不意の力が加わっても外れないように、特許文献１にあるような方法で軸受ハウジング６３の左右にロック操作部を設け、便座６４を着脱するには、図示しない左右のロック操作部２箇所を確実に操作する必要があった。
【０００８】
本発明はかかる事情に鑑みてなされたもので、便座着脱時のロック操作を減らすことにより、便座の着脱をより容易にし、しかも、着脱時の便座引っぱり負荷や便座ぶら下げ時の自重負荷によるリード線の断線等の不具合を確実に防止することを目的とする。さらに、便座への配線コードが外部に露出しないトイレ装置を提供することを目的とする。
【０００９】
【課題を解決するための手段及び作用、効果】
前記目的に沿う第１の発明に係るトイレ装置は、便器上に載置固定された本体と、前記本体から、突出する支持軸に取外し可能かつ回動自在に枢着される便座と、前記便座に設けられたヒーターユニットと、本体内に設けられたヒーターユニットを制御する制御部と、前記ヒーターユニットと前記制御部を電気的に接続するリード線及び該リード線を包含可能な保護チューブとからなる配線コードを備えたトイレ装置において、前記配線コード内若しくは近傍に前記便座を外した際の前記配線コードへの負荷を防止するテンションワイヤを設けている。これにより、便座着脱時の引っぱり負荷やぶら下げ時の自重負荷をテンションワイヤで受けることができ、リード線が断線することがない。
【００１０】
また、第２の発明に係るトイレ装置は、第１の発明に係るトイレ装置において、前記テンションワイヤを前記便座ヒンジ部の一方の後端および、他方の後端に収納配置させ、両者を一体化あるいは、機能的に連結させている。これにより、一方のテンションワイヤを引っぱると他方のテンションワイヤが引き込まれるようにしゅう動自在に動く。逆にテンションワイヤの一端を固定し、前記便座をテンションワイヤが固定されていない側に引っぱれば、固定されていない側のテンションワイヤは前記便座の一方の後端に引っぱりこまれ、固定側のテンションワイヤは前記便座の他方の後端から引き出される。また、テンションワイヤは、前記便座ヒンジ部後端に収納配置されることにより、前記便座を着脱する場合以外は、外部に露出することはない。
【００１１】
また、第３の発明に係るトイレ装置は、第２の発明に係るトイレ装置において、前記テンションワイヤを引張ったとき、所定の位置で止まるようなストッパを設けている。これにより、配線コードの長さに余裕があれば、所定の位置で止まった前記テンションワイヤの長さによって制限されるため、引っぱり方向の負荷がかかっても、前記テンションワイヤによって受け、配線コードに力が加わることはない。
【００１２】
また、第４の発明に係るトイレ装置は、第３の発明に係るトイレ装置において、前記テンションワイヤを引張っても、手を放せば、また元の位置に戻るようにスプリング等による引き込み手段を備えている。
【００１３】
また、第５の発明に係るトイレ装置は、第４の発明に係るトイレ装置において、前記配線コード側の前記テンションワイヤを、前記配線コードと共に前記便座ヒンジ部後端にしゅう動自在に収納配置させている。これにより、前記配線コード及び前記テンションワイヤが外部に露出せず、外観の見栄えをよくすることができる。
【００１４】
また、第６の発明に係るトイレ装置は、第５の発明に係るトイレ装置において、前記配線コード内に前記テンションワイヤをしゅう動自在に配置してもいいが、前記配線コードの近傍に前記テンションワイヤをしゅう動自在に配置させる場合は、前記配線コードが通過できる内径をもつリングを前記テンションワイヤに適当な間隔で固定設置し、それらに前記配線コードを通すように配置させてもよい。こうすることによって、前記テンションワイヤが前記便座ヒンジ部後端から引き出され、また元に戻されるとき、前記リングの効果により、前記配線コードが弛まないようにすることができる。
【００１５】
また、第７の発明に係るトイレ装置は、第５及び第６の発明に係るトイレ装置において、前記テンションワイヤに前記本体と前記取外し可能な便座とを開閉可能に枢着させるようなロック機構を備えている。これにより、施工時等で前記便座、便蓋を持って引上げられたり、また、施工後では、不意の力が加わったりしても、簡単に外れない。
【００１６】
また、第８の発明に係るトイレ装置は、第７の発明に係るトイレ装置において、前記配線コード側にない前記テンションワイヤに前記ロック機構を備えさせ、前記配線コード側の前記テンションワイヤは、前記配線コードと共に前記便座ヒンジ部後端にしゅう動自在に収納配置させ、前記本体から突出するヒンジ軸若しくは前記ヒンジ軸近傍に回動自在に枢着固定させている。これにより、ロック部を１箇所に減らすことができるため、片側ロックの閉め忘れをすることがない。
【００１７】
また、第９の発明に係るトイレ装置は、第７及び第８の発明に係るトイレ装置において、前記ロック機構は、前記テンションワイヤの端部にフック形状若しく係合可能な穴形状を有し、前記本体側から突出するヒンジ軸若しくは前記ヒンジ軸近傍に回動自在に設置された係合操作部から構成され、ロック操作を行う場合は前記フック形状若しく係合可能な穴形状を前記係合操作部に係合させ、回転係合操作により、前記テンションワイヤをロック係止させると同時に、前記便座を前記本体に開閉可能に係止させることができる。００００００これにより、簡便にロック操作をすることができる。
【００１８】
【発明の実施の形態】
続いて、添付した図面を参照しつつ、本発明を具体化した実施の形態につき説明し、本発明の理解に供する。
ここに、図１、図２は本発明の第１の実施に係るトイレ装置の左右それぞれから見た斜視図である。また、図３、図４、図５は本発明の第１の実施に係るトイレ装置の左側面図及び正面図、全体斜視図である。さらに、図６は第２の実施に係るトイレ装置の右からみた斜視図、図７は同右側正面図である。
【００１９】
図１〜５に示すように、本発明の第１の実施に係るトイレ装置１０は、陶器製の便器１１とその後ろ側上部に設けられた機能部収納ケース（本体）１２とを有している。機能部収納ケース１２の前側には軸受けハウジング１３が設けられ、軸受けハウジング１３から左右に突出する支持軸１４Ｌ，Ｒに便座１５の左右の袖部１６Ｌ，Ｒが軸着されている。左右の支持軸１４Ｌ，Ｒには、それぞれ便座１５及び便蓋１７の開閉用モータを有する開閉駆動手段（図示せず）が設けられ、この開閉駆動手段は軸受けハウジング１３に収納されている。便座１５内に保温用のヒータと温度センサーが内臓され、便座１５を常時所定温度に加熱している。なお、図１においては便蓋１７は取外されている。
【００２０】
図１に示すように、支持軸１４Ｌの先部に便蓋１７に掛合する断面非円形の掛合部２８が設けられ、この掛合部２８Ｌに噛合して便蓋１７の開閉が行われるようになっている。
掛合部２８Ｌの内側部分の支持軸１４Ｌには便座１５の基部側（後端）に設けられた袖部１６Ｌが取付けられ、図１に示す側の袖部１６Ｌ（トイレ装置１０を正面視して左側の袖部をいう、以下同じ）の基部には支持軸１４Ｌに一方向から装着される断面Ｕ字状の切欠き２９Ｌが設けられている。
【００２１】
袖部１６Ｌには便座１５内に配置されているヒータ及び温度センサーに接続されている配線コード２０が挿通され、この配線コード２０は軸受ハウジング１３の側壁２１Ｌに設けられている挿通孔２２（コード接続部の一例）を通って軸受ハウジング１３内に入り、機能部収納ケース１２内に配置されている図示しない制御装置に連結されている。袖部１６Ｌから便座１５内にかけて（すなわち、便座１５の後端）、配線コード収納部２３が設けられ、配線コード２０およびテン
ションワイヤ３１が収納配置されている。
【００２２】
テンションワイヤ３１の配線コード収納部２３に収まる部分には、配線コード２０が通過できる内径を持つリング３２が適当な間隔で固定されている。リング３２に配線コードを通し、テンションワイヤ３１の一端は軸受ハウジング１３の側壁２１Ｌに設けられている挿通孔２２付近若しくは支持軸１４Ｌに回転自在に固定されている。テンションワイヤ３１はそのまま配線コード収納部２３を通り、便座１５基端部の挿通孔１９Ｌを通って便座１５内にしゅう動自在に配設されている。
【００２３】
一方配線コード２０も便座１５基端部の挿通孔１８を通って、便座１５内にしゅう動自在に配設され、配線コード２０を引っ張り出しても十分掃除に供しうるだけの余裕長をもってヒータ及び温度センサーに接続されている。次に、トイレ装置１０を正面視して右側を示す図２について説明する。便座１５内をしゅう動自在に配設されたテンションワイヤ３１はそのまま便座１５の基部側内壁４１の挿通孔１９Ｒを通りコイルスプリング３３を介してストッパ部材３４につながり、ガイド４２内にしゅう動自在に配置されている。そして、ストッパ部材３４には係合可能な穴形状３４Ａが形成され、便座１５の右側袖部１６Ｒの基端部から臨ませている。
【００２４】
また、軸受けハウジング１３から突出する支持軸１４Ｒの中間部に便座１５に掛合する断面非円形の掛合部２８Ｒが設けられ、これに噛合して便座１５の開閉が行われるようになっている。そして、この掛合部２８Ｒに噛合できるように便座１５の基部側に設けられた袖部１６Ｒの基部には断面Ｕ字状の切欠き２９Ｒが設けられている。さらに、支持軸１４Ｒには、ストッパ部材３４の穴形状３４Ａに係合可能な係合レバー４３が回動自在に取付けられており、この部分の係合操作だけで、便座１５と軸受けハウジング１３及び、支持軸１４Ｌ，Ｒとの着脱に対するロック操作及び解除を可能としている。
【００２５】
従って、図１、２で説明すると、係合レバー４３を解除して、便座１５を取外す場合等において、配線コード２０及びテンションワイヤ３１を袖部１６Ｌから引き出そうとすると、ストッパ部材３４がコイルスプリング３３を縮めることになる。また、取外した便座１５を所定位置に固定すると、テンションワイヤ３１が自由状態になるので、コイルスプリング３３が伸びて自動的にテンションワイヤ３３を袖部１６Ｌ内に引き込む。このとき配線コード２０もテンションワイヤ３１に取付けられたリング３２の働きにより、テンションワイヤ３１と同じ動きをする。
【００２６】
本実施の形態に係るトイレ装置１０は以上のような構成となっているので、図４に示すように、便座１５の袖部１６Ｌを支持軸１４Ｌから取外すと、袖部１６Ｌ内に収納されているテンションワイヤ３１が引っ張られる。このとき、テンションワイヤ３１のもう一方の端面側にはストッパ部材３４が設けられているので、コイルスプリング３３を押し縮めてテンションワイヤ３１が袖部１６Ｌから引き出される。このとき同時にテンションワイヤ３１に取付けられたリング３２の働きにより、配線コード２０も袖部１６Ｌから引き出される。これによって、便座１５がある程度自由になるので、例えば、機能部収納ケース１２等の上において、便器１１や軸受ハウジング１３を清掃することができる。
【００２７】
図に示すように、便座１５を元の位置に戻せばテンションワイヤ３１がコイルスプリング３３によって引き込まれ、同時にリング３２の働きで配線コード２０も引き込まれるため、袖部１６Ｌと軸受ハウジング１３の側壁２１Ｌの間には弛んだ配線コード２０はないことになる。
【００２８】
次に、着脱係合レバー部に関する別案である実施例２について、図６、７にて説明する。実施例１と同じく、便座１５内をしゅう動自在に配設されたテンションワイヤ３１はそのまま便座１５の基部側内壁４１の挿通孔１９Ｒを通りコイルスプリング３３を介してストッパ部材３５につながり、ガイド４２内にしゅう動自在に配置されている。ストッパ部材３５はコの字形状で袖部１６Ｒの便座後方基端部が塞がれており、その部分に係合穴３５Ａが形成されている。コイルスプリング３３は少し強めに設定され、便座１５を所定の位置に取付けたとき、ストッパ部材３５の端面が袖部１６Ｒの外壁内面に押し付けられるくらいに調整されている。
【００２９】
このため、係合穴３５Ａが動かないので、確実に係合操作ができる。さらに、支持軸１４Ｒには、ストッパ部材３５の穴形状３５Ａに係合可能なフック４４Ａを先端側にもつ角形状の係合レバー４４が回動自在に取付けられており、この部分の係合操作だけで、便座１５と軸受けハウジング１３及び、支持軸１４Ｌ，Ｒとの着脱に対するロック操作及び解除を可能としている。また、係合レバー４４をロックした時、係合レバー４４が袖部１６Ｒの底面を面一にするため、外観上、また清掃性も好ましいものとなっている。
【図面の簡単な説明】
【図１】第１の実施例のトイレ装置を左から見た斜視図である。
【図２】第１の実施例のトイレ装置を右から見た斜視図である。
【図３】第１の実施例の便座を外した時の側面図。
【図４】第１の実施例の便座を外した時の正面図。
【図５】同全体斜視図。
【図６】第２の実施例の右からみた斜視図。
【図７】第２の実施例の便座を外した時の右側正面図。
【図８】従来例に係るトイレ装置の斜視図である。
【符号の説明】
１０：トイレ装置、  １１：便器、  １２：機能部収納ケース（本体）、  １３：軸受けハウジング、  １４Ｌ、Ｒ  ：支持軸、  １５：便座、  １６Ｌ、Ｒ：袖部、  １７：便蓋、１８：挿通孔、  １９Ｌ、Ｒ：挿通孔、  ２０：配線コード、
２１Ｌ、Ｒ：側壁、  ２２：挿通孔、  ２３：コード収納部、  ２９Ｌ、Ｒ：切欠き、  ３１：テンションワイヤ、    ３２：リング、  ３３：コイルスプリング、３４、３５：ストッパ部材、
３４Ａ、３５Ａ：係合穴、  ４１：内壁、  ４２：ガイド、  ４３、４４：係合レバー    ４４Ａ：係合フック、
【図１】
2005000525.tif 000003
【図２】
2005000525.tif 000004
【図３】
2005000525.tif 000005
【図４】
2005000525.tif 000006
【図５】
2005000525.tif 000007
【図６】
2005000525.tif 000008
【図７】
2005000525.tif 000009
【図８】
2005000525.tif 000010